【手続補正書】
【提出日】平成21年3月23日(2009.3.23)
【手続補正１】
【補正対象書類名】明細書
【補正対象項目名】特許請求の範囲
【補正方法】変更
【補正の内容】
【特許請求の範囲】
【請求項１】  可変表示領域内に表示される識別情報を変動表示可能に構成された可変表示装置と、
遊技の進行を制御する遊技制御手段と、
演出動作を制御する演出制御手段と、を備え、
前記遊技制御手段は、
予め設定された変動開始条件を満足する場合、前記可変表示領域内に表示される識別情報の変動表示パターン及び変動表示の結果を決定する変動表示態様決定手段と、
前記変動表示態様決定手段が決定した前記変動表示パターンを特定するための変動表示パターン情報を前記演出制御手段に送信する情報送信手段と、を含み、
前記変動表示パターンは、全ての識別情報を仮停止させた後、再び変動を開始する再変動表示を複数回繰り返して行う複数回変動パターンを含み、
前記演出制御手段は、
前記変動表示態様決定手段の決定結果に基づいて、前記可変表示領域内の識別情報を変動表示させるとともに、前記識別情報の変動表示を停止させる変動表示制御手段と、
前記複数回変動パターンに決定されたことを示す前記変動表示パターン情報を前記情報送信手段から受信した場合、前記変動表示制御手段により前記複数回変動パターンにおける再変動表示が行われる際に、当該再変動表示が行われている旨を報知するための複数の報知手段と、
前記情報送信手段から受信した前記変動表示パターン情報に基づいて、前記複数の報知手段の報知態様を前記遊技制御手段の決定によらず独立して決定する報知態様決定手段と、を含むことを特徴とする遊技機。
【請求項２】  前記変動表示パターンは、全ての識別情報を仮停止させた後、そのまま確定させる通常変動パターンをさらに含み、
前記複数回変動表示パターンは、前記通常変動パターンにおける仮停止までの変動表示を最終的に確定するまで複数回繰り返して行うものであり、
前記演出制御手段は、前記変動表示態様決定手段により複数回変動パターンによる変動表示を行う決定がなされ、前記変動表示制御手段により行われる通常変動パターンと同様の変動表示が２回目以降となった場合に、当該変動表示が複数回変動表示パターンである旨を前記複数の報知手段により報知することを特徴とする請求項１に記載の遊技機。
【請求項３】  前記可変表示装置は、前記識別情報の変動表示を画像として表示する画像表示装置によって構成され、
前記演出制御手段は、前記変動表示制御手段により複数回変動パターンが行われる場合に、前記画像表示装置上で前記識別情報の背景に表示される画像を複数回変動パターンによる変動表示が開始されて、１回目の全ての識別情報の仮停止が行われるまでと、それ以降とでは異なるものとすることによって、当該変動表示が複数回変動表示パターンである旨を報知するものであることを特徴とする請求項１または２に記載の遊技機。
【請求項４】  前記可変表示装置は、前記識別情報の変動表示を画像として表示する画像表示装置によって構成され、
前記演出制御手段は、前記変動表示制御手段により複数回変動パターンが行われる場合に、前記画像表示装置上に所定のキャラクタ画像を表示させることによって、当該変動表示が複数回変動表示パターンである旨を報知するものであることを特徴とする請求項１乃至３のいずれか１項に記載の遊技機。
【請求項５】  前記報知手段は、前記変動表示制御手段により複数回変動パターンが行われる場合に、出力させる音声の態様を複数回変動パターンによる変動表示が開始されて、１回目の全ての識別情報の仮停止が行われるまでと、それ以降とでは異なるものとする音声出力装置によって構成されることを特徴とする請求項１乃至４のいずれか１項に記載の遊技機。
【請求項６】  前記報知手段は、前記変動表示制御手段により複数回変動パターンが行われる場合に、発光態様を複数回変動パターンによる変動表示が開始されて、１回目の全ての識別情報の仮停止が行われるまでと、それ以降とでは異なるものとする発光装置によって構成されることを特徴とする請求項１乃至５のいずれか１項に記載の遊技機。
【請求項７】  前記演出制御手段は、前記変動表示制御手段により複数回変動パターンが行われる場合に、前記識別情報の変動態様を複数回変動パターンによる変動表示が開始されて、１回目の全ての識別情報の仮停止が行われるまでと、それ以降とでは異なるものとすることによって、当該変動表示が複数回変動表示パターンである旨を報知するものであることを特徴とする請求項１乃至６のいずれか１項に記載の遊技機。
【手続補正２】
【補正対象書類名】明細書
【補正対象項目名】０００９
【補正方法】変更
【補正の内容】
【０００９】
【課題を解決するための手段】
上記目的を達成するため、本発明の第１の観点にかかる遊技機は、可変表示領域内に表示される識別情報を変動表示可能に構成された可変表示装置（例えば、特別図柄表示装置４）と、遊技の進行を制御する遊技制御手段（例えば、遊技制御部１１）と、演出動作を制御する演出制御手段（例えば、表示制御部１３、音制御部１４、ランプ制御部１５）と、を備え、前記遊技制御手段は、予め設定された変動開始条件を満足する場合、前記可変表示領域内に表示される識別情報の変動表示パターン及び変動表示の結果（最終確定態様）を決定する変動表示態様決定手段と、前記変動表示態様決定手段が決定した前記変動表示パターンを特定するための変動表示パターン情報を前記演出制御手段に送信する情報送信手段と、を含み、前記変動表示パターンは、全ての識別情報を仮停止させた後、再び変動を開始する再変動表示を複数回繰り返して行う複数回変動パターンを含み、前記演出制御手段は、前記変動表示態様決定手段の決定結果に基づいて、前記可変表示領域内の識別情報を変動表示させるとともに、前記識別情報の変動表示を停止させる変動表示制御手段と、前記複数回変動パターンに決定されたことを示す前記変動表示パターン情報を前記情報送信手段から受信した場合、前記変動表示制御手段により前記複数回変動パターンにおける再変動表示が行われる際に、当該再変動表示が行われている旨を報知するための複数の報知手段（例えば、特別図柄表示装置４、スピーカ８Ｌ、８Ｒ、ランプ９）と、前記情報送信手段から受信した前記変動表示パターン情報に基づいて、前記複数の報知手段の報知態様を前記遊技制御手段の決定によらず独立して決定する報知態様決定手段と、を含む。
【手続補正３】
【補正対象書類名】明細書
【補正対象項目名】００１１
【補正方法】変更
【補正の内容】
【００１１】
上記遊技機において、前記変動表示パターンは、全ての識別情報を仮停止させた後、そのまま確定させる通常変動パターンをさらに含むものであってもよい。この場合、前記複数回変動表示パターンは、前記通常変動パターンにおける仮停止までの変動表示を最終的に確定するまで複数回繰り返して行うものとすることができ、前記演出制御手段は、前記変動表示態様決定手段により複数回変動パターンによる変動表示を行う決定がなされ、前記変動表示制御手段により行われる通常変動パターンと同様の変動表示が２回目以降となった場合に、当該変動表示が複数回変動表示パターンである旨を前記複数の報知手段により報知することができる。なお、複数回変動パターン内で通常パターンにおける仮停止までと同様の変動表示を行う回数は、２回以上の任意の回数とすることができる。
【手続補正４】
【補正対象書類名】明細書
【補正対象項目名】００１２
【補正方法】変更
【補正の内容】
【００１２】
上記遊技機において、前記可変表示装置は、前記識別情報の変動表示を画像として表示する画像表示装置によって構成されたものであってもよい。この場合、前記演出制御手段は、前記変動表示制御手段により複数回変動パターンが行われる場合に、前記画像表示装置上で前記識別情報の背景に表示される画像を複数回変動パターンによる変動表示が開始されて、１回目の全ての識別情報の仮停止が行われるまでと、それ以降とでは異なるものとすることによって、当該変動表示が複数回変動表示パターンである旨を報知するものとすることができる。また、前記演出制御手段は、前記変動表示制御手段により複数回変動パターンが行われる場合に、前記画像表示装置上に所定のキャラクタ画像を表示させることによって、当該変動表示が複数回変動表示パターンである旨を報知するものとすることもできる。
【手続補正５】
【補正対象書類名】明細書
【補正対象項目名】００１５
【補正方法】変更
【補正の内容】
【００１５】
上記遊技機において、前記演出制御手段は、前記変動表示制御手段により複数回変動パターンが行われる場合に、前記識別情報の変動態様を複数回変動パターンによる変動表示が開始されて、１回目の全ての識別情報の仮停止が行われるまでと、それ以降とでは異なるものとすることによって、当該変動表示が複数回変動表示パターンである旨を報知するものとすることもできる。この場合は、前記変動表示制御手段が前記報知手段の機能を備えるものとなる。なお、識別情報の変動態様は、例えば、左図柄、中図柄及び右図柄の変動開始タイミングを変えたり、変動方向を変えたりすることによって、区別させることができる。
【手続補正６】
【補正対象書類名】明細書
【補正対象項目名】００１６
【補正方法】削除
【補正の内容】
【手続補正７】
【補正対象書類名】明細書
【補正対象項目名】００１８
【補正方法】変更
【補正の内容】
【００１８】
上記遊技機では、本来的に１回の変動（１つの変動表示パターン、特に複数回変動表示パターン）のうちで全ての識別情報が仮停止させられた後に再び変動されても報知手段による報知態様は異なるものとならないが、独立した複数回の変動（全ての識別情報の変動開始、仮停止、確定）が連続して行われた場合には報知手段の報知態様が異なるものとなり、それぞれの場合が区別される。
【手続補正８】
【補正対象書類名】図面
【補正対象項目名】図７
【補正方法】変更
【補正の内容】
【図７】
2002085698.tif 000001